(57)【要約】【課題】      太腿にフィットしたシルエットのズボンであっても、着用した際に前股ぐり下部付近に横皺が生じないようなズボンを提供する。【解決手段】  ズボン前身頃１０のパターンの股上部において、渡り線２と前開き止まり８との間の小股にダーツを取ったようになるように、小股線６上で間隔を開けた２つの点Ｂ、Ｃと渡り線２より上の脇線４上の点Ａとを結び、上側の線分ＡＢが下側の線分ＡＣに重なるように上側の線分ＡＢより上方の股上部を作図上で移動させ、小股線が滑らかに連続するように線を引き直して、修正したズボンの前身頃パターンを作製する。この前身頃パターンとズボンの後身頃パターンに基いて生地を裁断し、裁断した前身頃生地において前記ダーツ部に相当する箇所をアイロンで伸ばし、この伸ばした状態で左右の前身頃および後身頃の生地を縫製する。【選択図】    図３
2011032585.tif 000002
【特許請求の範囲】
【請求項１】
ズボン前身頃のパターンの股上部において、渡り線と前開き止まりとの間の小股にダーツを取ったようになるように、小股線上で間隔を開けた２つの点Ｂ、Ｃと渡り線より上の脇線上の点Ａとを結び、上側の線分ＡＢが下側の線分ＡＣに重なるように上側の線分ＡＢより上方の股上部を作図上で移動させ、小股線が滑らかに連続するように線を引き直して、修正したズボンの前身頃パターンを作製し、該前身頃パターンとズボンの後身頃パターンに基いて生地を裁断し、該裁断した前身頃生地において前記ダーツ部に相当する箇所をアイロンで伸ばし、該伸ばした状態で左右の前身頃および後身頃の生地を縫製することを特徴とするズボンの製作方法。
【請求項２】
前記小股線上で２つの点Ｂ、Ｃの縦方向の間隔が０．５〜１．２ｃｍであることを特徴とする請求項１記載のズボンの製作方法。
【発明の詳細な説明】
【技術分野】
【０００１】
本発明はズボンの製作方法に関する。特に婦人用ズボンに適した製作方法に関するものである。
【背景技術】
【０００２】
一般に太腿にフィットしたシルエットのパンツ（ズボン）は従来の通常のパターン（型紙）によって製作すると、着用時に図１（ａ）に示すように前股ぐり下部付近に横皺ａが生じてしまう。このような横皺ａは見た目が悪く、スッキリした感じがなく、足も短く見えてしまうと言う問題がある。
【０００３】
このような横皺ａが生じないようにするための一つの手段としては、大きなサイズのパンツを着用することである。しかし、大きなサイズのパンツを着用すると、太腿にフィットせず、腰回りがダブダブして、ヒップが下がって見えてしまうという問題が生じる。
【０００４】
特許第３８５１６３２号公報（特許文献１）に開示された発明は本願の発明者が発明したものであるが、この公報に開示されているのはヒップの下方部分に生じる皺を取り除く方法である。
【０００５】
しかし、ズボンの着用時に前股ぐり下部付近に生じる横皺をなくすことは、従来は提案されていない。
【先行技術文献】
【特許文献】
【０００６】
【特許文献１】特許第３８５１６３２号公報
【発明の概要】
【発明が解決しようとする課題】
【０００７】
本発明は、太腿にフィットしたシルエットのズボン（パンツ、スラックス）であっても、着用した際に前股ぐり下部付近に横皺が生じないようなズボンを提供することを目的とするものである。
【課題を解決するための手段】
【０００８】
本発明は、ズボン前身頃のパターンの股上部において、渡り線と前開き止まりとの間の小股にダーツを取ったようになるように、小股線上で間隔を開けた２つの点Ｂ、Ｃと渡り線より上の脇線上の点Ａとを結び、上側の線分ＡＢが下側の線分ＡＣに重なるように上側の線分ＡＢより上方の股上部を作図上で移動させ、小股線が滑らかに連続するように線を引き直して、修正したズボンの前身頃パターンを作製し、該前身頃パターンとズボンの後身頃パターンに基いて生地を裁断し、該裁断した前身頃生地において前記ダーツ部に相当する箇所をアイロンで伸ばし、該伸ばした状態で左右の前身頃および後身頃の生地を縫製することを特徴とするズボンの製作方法により前記目的を達成する。
【０００９】
この場合、小股線上で２つの点Ｂ、Ｃの縦方向の間隔が０．５〜１．２ｃｍであることが好ましい。
【発明の効果】
【００１０】
本発明によれば、ズボンの前身頃において渡り線と前開き止まりとの間の小股にダーツを取ったようになるように、股上部を移動させるので、前股ぐり下部付近の余分な面積の生地をなくすることができる。
【００１１】
小股にダーツを取ったようにすると、小股線の長さが短くなってしまい、そのままでは必要とする股ぐり長さがたりなくなり、着用時に股ぐりが窮屈になってしまう。このため、本発明ではダーツ部に相当する箇所の生地をアイロンで伸ばしており、これにより、股ぐりが窮屈にならないようにできる。
【００１２】
従って、本発明の方法により製作したズボンは、太腿にフィットしたシルエットのズボンであっても、着用時に、従来は前股ぐり下部付近に生じていた横皺が生じないので、スッキリした外観となり、足が長く見える。
【図面の簡単な説明】
【００１３】
【図１】図１（ａ）は従来の技法により作成したズボンの上部を示す正面図である。図１（ｂ）は横皺と余分な面積との関係を説明するためのズボンの上部を示す正面図であり、右足側に横皺を表わし、左足側に余分な面積を表わしている。図１（ｃ）は本発明の方法により作成したズボンの上部を示す正面図である。
【図２】従来のズボンの前身頃のパターンで、股上部と脚部上部のみを示した正面図である。
【図３】従来のズボンの前身頃のパターンで、小股にダーツを取ったようになる範囲を示した正面図である。
【図４】本発明のズボンの前身頃のパターンで、股上部と脚部上部のみを示した正面図である。
【図５】図５（ａ）は図４に示したパターンに基いて裁断した生地に対するアイロンの掛け方を示す説明図であり、図５（ｂ）は股上部上端を平らにして、伸ばされた生地のゆとり分を小股部に移動させた状態を示す説明図である。
【発明を実施するための形態】
【００１４】
図１（ａ）は従来の通常のパターン（型紙）によって製作したズボンであり、前身頃１０と後身頃（図示せず）を縫合わせて作られるものである。このような従来のパターンによるズボンで、太腿にフィットしたサイズのものを着用すると、図１（ａ）に示すように前股ぐり下部付近に横皺ａが生じてしまう傾向がある。
【００１５】
本発明の発明者が鋭意研究したところ、次のようなことが分かった。
【００１６】
図１（ｂ）に示すように、右足側に表わした横皺ａは、左足側において斜線を施した菱形の部分ｂを摘むと、消えることを確認した。すなわち、菱形の部分ｂは生地として余分な面積である。
【００１７】
このような菱形の部分ｂをパターン上より取り去ることができれば、横皺ａは生じないが、通常のパターン構造ではこの余分な面積ｂを除去することは不可能である。
【００１８】
図２は従来のズボンの前身頃のパターンで、図１（ｂ）において左足側に示した菱形の部分ｂをパターン上に示したものである。図中、符号１は前クリースライン、２は渡り線、３は内股線、４は脇線、５は前中心線、６は小股線、７はウエストラインであり、渡り線２から上の部分が股上、下の部分が股下である。
【００１９】
なお、小股部分は、内股線３の上端（図３に符号Ｄで示した）からウエストライン７に至る前股ぐり線上おいて、内股線３の上端Ｄから発し、直線に変化する位置までの曲線部分を指し、前開きのズボンの場合は、内股線３の上端Ｄと前開き止まり８（図３参照）までの間である。
【００２０】
何種類ものサイズのズボンで研究したところ、余分な面積である菱形の部分ｂは、横皺ａのできる状態からみて、前クリースライン１と小股線６の間にあり、小股線６に近い側の箇所（前クリースライン１と小股線６の間を３等分して、前クリースライン１から２／３付近）が不要寸法の最大の幅となるように、ズボンの生地を摘むと、横皺ａが消えやすい。また、不要寸法の最大の幅となる位置および幅はヒップ寸法等の横幅関係の寸法変化にはあまり関係しないことが分かった。
【００２１】
しかるに、図２において斜線で示した余分な面積である菱形の部分ｂを除去するために、裁断した生地においてダーツとして摘み縫いをしたり、パターン上で除去して横方向の縫い目（切替え線）とすることは可能である。しかし、横皺ａは生じないが、出来上がったズボンにおいて前股ぐり下部付近に縫い目の跡や摘んだ生地の跡が付いてしまい、一般的な形状とは著しく異なる結果になり、審美性という意味からも違和感が生じ、通常の商品とは成り得ない。
【００２２】
本発明によれば、まず、図３に示すように、従来のズボンの前身頃１０のパターンにおいて、前開き止まり８から下の小股線６上で間隔を開けた２つの点Ｂ、Ｃと渡り線２より上の脇線４上の点Ａとを結ぶ。この三角形ＡＢＣで囲まれる範囲中に菱形の部分ｂが入るようにする。三角形ＡＢＣは小股の箇所にダーツを取ったようになる範囲を示し、このようにダーツを取れば、斜線で示した余分な面積である菱形の部分ｂが除去されることになる。
【００２３】
このまま、ダーツとしたのでは上述したような問題が生ずるので、本発明によれば、図４に示すように、上側の線分ＡＢが下側の線分ＡＣに重なるように、作図上、上側の線分ＡＢより上方の股上部を点Ａを基点にして回転して、移動する。移動後の点Ｂと点Ｃの位置は一致せず、移動後の小股線６が段々になるので、内股線３の上端の点Ｄと前開き止まり８との間を滑らかな曲線で結び、新たな小股線６′とする。このようにして、ズボンの前身頃の修正したパターンを作成する。
【００２４】
このように、上側の線分ＡＢより上方の股上部を移動したことにより、ダーツを取ったのと同様の効果があり、移動後の修正したパターンは図３に示した不要な菱形の部分ｂを除去した状態のパターンである。しかし、この修正したパターンは元のパターンに比較して小股線の長さが短くなっている。
【００２５】
本発明では、この不足を縫製段階で対処し、適正な股ぐり寸法を維持すると共に、必要な立体形状に置き換える。
【００２６】
先ず、図４に示した修正した前身頃のパターンに基いて生地を裁断する。図５（ａ）は裁断した生地２０において、生地のバイアスを利用して、小股部の箇所を伸ばすように矢印Ｓ方向にアイロンを掛ける。
【００２７】
図５（ａ）において格子２１は生地の地の目を模式的に表わしたものであり、アイロン掛けにより地の目が変形したことを示している。そして、図５（ｂ）に示すように、股上部上端を平らにして、伸ばされた生地のゆとり部ｃを小股部に移動させると、前股上下部に股ぐりからマチを入れたような立体的形状になるとともに、適正な股ぐり寸法（長さ）が得られる。
【００２８】
このようなアイロン処理した前身頃の生地と後身頃の生地とを縫合わせることにより本発明のズボンが完成する。本発明のズボンを着用すると、図１（ｃ）に示すように、前股ぐり下部付近に横皺が生じることなく、スッキリした外観となる。
【００２９】
なお、アイロン処理により伸ばされた生地の部分は、ズボンの左前身頃と右前身頃との股ぐりを縫合わせる股ぐり縫い目により、伸ばされた状態に固定されるので、洗濯をしても元の状態に戻ることはない。
【００３０】
また、本発明の前身頃と縫合わせられる後身頃を、特許第３８５１６３２号公報（特許文献１）に開示されている方法で製作されたものを利用すると、ヒップの下にも横皺が生じることなく、全体として、足が長く見える効果がより一層高められた、好ましいシルエットのズボンを製作することができる。
【００３１】
なお、図１（ｂ）において斜線で示した余分な面積である菱形の部分ｂの縦方向の幅（不要寸法の幅）は生地の素材や織り密度によっても異なるが、最大でも８ｍｍ程度であり、従って、図３における小股線上で２つの点Ｂ、Ｃの縦方向の間隔は最大でも１．２ｃｍ程度である。点Ｂ、Ｃの縦方向の間隔が小さ過ぎても横皺を消す効果が出ないので、０．５ｃｍ以上とすることが好ましい。また、アイロンによる伸ばし可能な寸法は素材の伸度、糸の織り密度等により変化するので、使用生地により実際の伸ばし可能な寸法を確認して、点Ｂ、Ｃの間隔を決めることが好ましい。
【符号の説明】
【００３２】
１  前クリースライン
２  渡り線
３  内股線
４  脇線
６  小股線
８  前開き止まり
１０  前身頃
２０  裁断した生地
ａ  横皺
ｂ  余分な面積である菱形の部分
ｃ  ゆとり部
Ａ  脇線上の点
Ｂ、Ｃ  小股線上で間隔を開けた２つの点
Ｓ  アイロンを掛ける方向
【図１】
2011032585.tif 000003
【図２】
2011032585.tif 000004
【図３】
2011032585.tif 000005
【図４】
2011032585.tif 000006
【図５】
2011032585.tif 000007